【手続補正書】
【提出日】平成25年1月31日(2013.1.31)
【手続補正１】
【補正対象書類名】特許請求の範囲
【補正対象項目名】全文
【補正方法】変更
【補正の内容】
【特許請求の範囲】
【請求項１】
駆動スピンドルを有する基部ユニットに取付けるためのミルヘッドであって、
上側シェルと下側シェルとを含むハウジングであって、前記上側シェルは開口を有し、前記下側シェルは、前記上側シェルとの間に空間が形成されるように、前記上側シェルの下に配置されかつ取り付けられ、互いに離隔された第１及び第２の下側シェル開口を有するように形成されており、前記上側シェルおよび前記下側シェルは、前記基部ユニットに対して着脱可能に取り付けられるように共同して形成され、かつ、前記第１の下側シェル開口が前記上側シェル開口に適合するように形成されているハウジングと、
前記上側シェルの前記開口に隣接して前記上側シェルと一体に設けた固定突当面と、
前記上下シェル間で回転動作すべく前記シェル間に配設された切削部材であって、骨片を骨粒に変換すべく前記突当面に対して前記骨片を押圧する少なくとも１つの切削部と、前記骨粒が通過可能な開口と、前記ミルヘッドが前記基部ユニットに取り付けられた状態で、作動時に前記駆動スピンドルが前記切削部材を回転させるように、前記駆動スピンドルが前記下側シェルの前記第２の開口を通じて係合し、前記切削部材を前記駆動スピンドルに接続するための連結部と、を有する切削部材と、
前記下側シェルの前記第１の開口の下方に延在するように前記シェルに対して着脱可能に取り付けられる、前記シェルとは別体の受けトレイと、
を備えた、ミルヘッド。
【請求項２】
前記切削部材は、前記上下シェル間で回転可能でありかつ前記上下シェル内での補足動作で係合するように前記ハウジング内に搭載されており、
前記切削部材は、前記基部ユニットの前記駆動スピンドルに設けられた相補的位置合わせ部に係合する位置合わせ部を備えており、前記基部ユニットの前記駆動スピンドルの位置合わせ部と前記切削部材の位置合わせ部の係合が、前記切削部材の補足動作を生じさせ、前記切削部材の連結部が前記基部ユニットの駆動スピンドルと位置合わせされるように構成されている、請求項１記載のミルヘッド。
【請求項３】
前記切削部材の連結部が、前記切削部材の位置合わせ部から離隔されている、請求項２記載のミルヘッド。
【請求項４】
前記切削部材が、前記シェル間に配設されたディスクであって、前記ディスクが、前記少なくとも１つの切削部の一部である少なくとも１つの切削刃を有する、請求項１〜３の何れか一項に記載のミルヘッド。
【請求項５】
前記上側シェルと前記下側シェルとが、単体ユニットを構成すべく相互に固定されている、請求項１〜４の何れか一項に記載のミルヘッド。
【請求項６】
前記切削部材は、前記突当面に向けられた第１の面と、前記下側シェルに向けられかつ前記第１の面と背向する第２の面とを有し、
前記下側シェルは、前記受けトレイが前記ハウジングから摺動可能に取り外しできるように、前記下側シェルに対して前記受けトレイを着脱可能に保持する機構を有して形成されており、
前記受けトレイは、前記切削部材によって生成された骨粒を導入するための開口を画定し、かつ、前記受けトレイの開口の上方で前記切削部材の第２の面に向けて前記下側シェルの第２の開口内に延出したリップを有することによって、前記受けトレイが前記ハウジングから取り外されるときに、前記リップが前記切削部材の第２の面を横切って移動するように形成されている、請求項１〜５の何れか一項に記載のミルヘッド。
【請求項７】
前記下側シェルが、前記下側シェルの内面の上方に位置する隆起面を有して形成されており、
前記切削部材が、前記下側シェルの内面の上方に位置するように前記下側シェルの前記隆起面上に載置されている、請求項１〜６の何れか一項に記載のミルヘッド。
【請求項８】
前記下側シェルの第１及び第２の開口間に障壁を形成するように、前記第２の開口の周囲に前記下側シェルの内面から上向きにリングが延出しており、前記リングが前記下側シェルの隆起面として機能する、請求項７記載のミルヘッド。
【請求項９】
前前記下側シェルの隆起面が前記切削部材の少なくとも１つの前記切削部の外側に位置するように、記下側シェル形成されかつ前記切削部材が配置されている、請求項７記載のミルヘッド。
【請求項１０】
前記上側シェルは、下面と、前記下面から下向きに延出したリングとを有し、前記リングは、前記切削部材の前記連結部の周囲に延在し、前記切削部材の前記連結部と前記切削部材の少なくとも１つの切削部との間に位置している、請求項１〜９の何れか一項に記載のミルヘッド。
【請求項１１】
前記切削部材が所定厚さを有し、
前記下側シェルは、内面と、前記上側シェルに向かって前記内面から上向きに延出した隆起リングとを有しており、前記切削部材は、前記下側シェルの前記隆起面の上に配置されており、
前記上側シェルは、下面と、前記切削部材に向かって且つ前記切削部材の周囲にて前記下面から下向きに延出しているリングとを有しており、前記上側シェルの前記リングの下面と前記下側シェルの前記隆起面との間に間隙があり、前記間隙が前記切削部材の前記厚さよりも大きい、請求項１〜１０の何れか一項に記載のミルヘッド。
【請求項１２】
前記下側シェルは、前記上側シェルの前記リングが前記下側シェルの前記隆起面にわたって延在するように形成されている、請求項１１記載のミルヘッド。
【請求項１３】
前記切削部材が、複数の切削部を有するように形成されている、請求項１〜１２の何れか一項に記載のミルヘッド。
【請求項１４】
請求項１〜１３の何れか一項に記載のミルヘッドとともに使用される基部ユニットであって、
前記ミルヘッドの前記下側シェルを受ける表面と、
モータと、
前記モータで回転されるように前記モータに接続された駆動スピンドルと、を含み、前記駆動スピンドルは、前記表面に隣接して配置され、かつ、前記駆動スピンドルの回転が前記ミルヘッドにおける前記切削部材の回転をもたらすように、前記ミルヘッドの前記下側シェルの前記第２の開口を通じて、前記切削部材の前記連結部を着脱可能に係合する少なくとも１つの駆動部材を含む、基部ユニット。
【請求項１５】
前記駆動スピンドルは、前記駆動スピンドルの前記駆動部材が前記切削部材の前記連結部を係合できるように、前記切削部材を前記駆動スピンドルの前記駆動部材と位置合わせするための位置合わせ部をさらに含む、請求項１４記載の基部ユニット。
【請求項１６】
前記駆動スピンドルの前記位置合わせ部と前記駆動部材とが別部材で構成されている、請求項１５記載の基部ユニット。
【請求項１７】
前記表面に前記ミルヘッドの前記ハウジングを着脱可能に保持する台座に取り付けられた少なくとも１つのロックアームをさらに含む、請求項１４〜１６の何れか一項に記載の基部ユニット。
【請求項１８】
前記表面が、前記ミルヘッドが前記台座に保持された状態で前記ミルヘッドの前記トレイが着座するノッチを画成している、請求項１４〜１７の何れか一項に記載の基部ユニット。
【請求項１９】
前記ミルヘッドの前記下側シェルが着座する前記表面から離れる方向に前記駆動スピンドルを常時付勢する付勢部材が前記駆動スピンドルに当接し、前記駆動スピンドルと前記付勢部材とが協働して、前記ミルヘッドを前記表面から離れる側に前記ハウジングを保持しており、
前記ミルヘッドを前記表面に着脱可能に保持するアセンブリが、前記基部ユニットまたは前記ミルヘッドの前記ハウジングの少なくとも一方に取り付けられている、請求項１４〜１８の何れか一項に記載の基部ユニット。
【請求項２０】
前記ミルヘッドの前記下側シェルを受容すべく形成された前記表面が、前記台座の表面であり、前記台座を支持する脚部をさらに備え、前記モータが前記脚部内に配設されている、請求項１４〜１９の何れか一項に記載の基部ユニット。